(57)【要約】      （修正有）【課題】管体の照射範囲を増大させることができる直管形ＬＥＤランプの構造を提供する。【解決手段】直管形ＬＥＤランプの構造２は、管体と、管体内部に配置される少なくとも１つのＬＥＤ列と、管体内部の任意の端部に配置される少なくとも１つの駆動回路とを備える。駆動回路は、複数の電子素子２３１及び駆動回路基板２３２を有する。電子素子２３１は、駆動回路基板２３２の一方の面上に挿設される。駆動回路基板２３２の他方の面上には、少なくとも１つのＬＥＤが挿設される。ＬＥＤ列２２上には、複数のＬＥＤが設けられる。駆動回路基板２３２の他方の面上に挿設されるＬＥＤの方向は、ＬＥＤ列２２のＬＥＤの方向と同じである。【選択図】図３Ａ
0003177567.tif 000002
【実用新案登録請求の範囲】
【請求項１】
管体と、前記管体内部に配置される少なくとも１つのＬＥＤ列と、前記管体内部の任意の端部に配置される少なくとも１つの駆動回路と、を備えた直管形ＬＥＤランプの構造であって、
前記駆動回路は、複数の電子素子及び駆動回路基板を有し、前記電子素子は、前記駆動回路基板の一方の面上に挿設され、前記駆動回路基板の他方の面上には、少なくとも１つのＬＥＤが挿設されることを特徴とする直管形ＬＥＤランプの構造。
【請求項２】
前記ＬＥＤ列上には、複数の前記ＬＥＤが設けられることを特徴とする請求項１に記載の直管形ＬＥＤランプの構造。
【請求項３】
前記駆動回路基板の他方の面上に挿設されるＬＥＤの方向は、前記ＬＥＤ列のＬＥＤの方向と同じであることを特徴とする請求項１に記載の直管形ＬＥＤランプの構造。
【請求項４】
前記管体は、長尺状であることを特徴とする請求項１に記載の直管形ＬＥＤランプの構造。
【請求項５】
前記駆動回路は、前記ＬＥＤ列と接続され、前記駆動回路基板の他方の面上に挿設されたＬＥＤ及び前記ＬＥＤ列を発光させることを特徴とする請求項１に記載の直管形ＬＥＤランプの構造。
【請求項６】
前記電子素子は、抵抗、コンデンサ、変圧器を含む電子素子であることを特徴とする請求項１に記載の直管形ＬＥＤランプの構造。
【考案の詳細な説明】
【技術分野】
【０００１】
本考案は、直管形ＬＥＤランプの構造に関し、特に、管体の照射範囲を増大させることができる直管形ＬＥＤランプの構造に関する。
【背景技術】
【０００２】
ＬＥＤ（発光ダイオード）は、消費電力が少なく、使用寿命が長く、体積が小さく、反応速度が速いため、各種照明に広く使用されている。また、すでに、直管形蛍光ランプに代わる直管形ＬＥＤランプが案出されている。一般に、従来の直管形ＬＥＤランプは、ＬＥＤ列及び駆動回路が収容される管体を有する。管体中には、複数のＬＥＤを有する２つのＬＥＤ列が左右に配置される。また、管体内部の両端部には、駆動回路がそれぞれ配置される。駆動回路は、ＬＥＤ列のＬＥＤを発光させる。
【０００３】
長尺状の管体内部の両端に、駆動回路が配置されるため、管体の照射範囲は、２つの駆動回路間のＬＥＤ列が配置される領域のみに限定される。このため、管体の照射範囲が非常に限定される。仮に、ユーザが管体の側辺に位置する場合、ユーザを照射する光線の輝度は低い。このため、改善が求められていた。
【０００４】
そこで、図１Ａ、図１Ｂ及び図２に示すように、直管形ＬＥＤランプ１の管体１１内部において、駆動回路１３を管体１１内部の両端から、ＬＥＤ列１２の上方に移動させた直管形ＬＥＤランプ１が案出された。これにより、ＬＥＤ列１２を管体１１内部の左右両端まで延長することができるため、ＬＥＤ列１２のＬＥＤ１２１の照射範囲を増大させることができ、上述の問題を解決することができる。
【０００５】
しかし、上述した従来の解決策においては、駆動回路１３がＬＥＤ列１２の上方に配置されるため、ＬＥＤ列１２の位置を下げる必要がある。これにより、ＬＥＤ列１２の収容空間が圧縮され、ＬＥＤ列１２が管体１１の表面に非常に接近する。このため、ＬＥＤ列１２に使用するＬＥＤ１２１を非常に小さいものにしなければ、ＬＥＤ列１２を収容空間内に配置することができない。また、ＬＥＤ列１２が管体１１表面に非常に接近するため、ＬＥＤ列１２上に挿設されるＬＥＤ１２１は、非常に密集させて配置しなければ、ＬＥＤ１２１を発光させた際、ＬＥＤ１２１が分散していることが認識されやすい。また、小型のＬＥＤ１２１は、発光輝度が低いため、管体１１から照射される光線の輝度が極めて不均一となる。そのため、ＬＥＤ１２１を非常に密集して配置する必要がある。しかし、ＬＥＤ１２１を密集して配置するほど、多くのＬＥＤ１２１が必要となるため、製造コストが増大する。
【０００６】
上述の問題の発生を防止するには、ＬＥＤ列の収容空間を圧縮しない状況の下、管体全体を発光させる必要がある。
【考案の概要】
【考案が解決しようとする課題】
【０００７】
本考案の目的は、管体の照射範囲を増大させることができる直管形ＬＥＤランプの構造を提供することにある。
【課題を解決するための手段】
【０００８】
上記課題を解決するために、管体と、前記管体内部に配置される少なくとも１つのＬＥＤ列と、前記管体内部の任意の端部に配置される少なくとも１つの駆動回路と、を備えた直管形ＬＥＤランプの構造であって、前記駆動回路は、複数の電子素子及び駆動回路基板を有し、前記電子素子は、前記駆動回路基板の一方の面上に挿設され、前記駆動回路基板の他方の面上には、少なくとも１つのＬＥＤが挿設されることを特徴とする直管形ＬＥＤランプの構造が提供される。
【０００９】
前記ＬＥＤ列上には、複数の前記ＬＥＤが設けられることが好ましい。
【００１０】
前記駆動回路基板の他方の面上に挿設されるＬＥＤの方向は、前記ＬＥＤ列のＬＥＤの方向と同じであることが好ましい。
【００１１】
前記管体は、長尺状であることが好ましい。
【００１２】
前記駆動回路は、前記ＬＥＤ列と接続され、前記駆動回路基板の他方の面上に挿設されたＬＥＤ及び前記ＬＥＤ列を発光させることが好ましい。
【００１３】
前記電子素子は、抵抗、コンデンサ、変圧器を含む電子素子であることが好ましい。
【考案の効果】
【００１４】
本考案の直管形ＬＥＤランプの構造は、管体の照射範囲を増大させることができる。
【図面の簡単な説明】
【００１５】
【図１Ａ】従来の直管形ＬＥＤランプの構造を示す側面図である。
【図１Ｂ】従来の直管形ＬＥＤランプの構造を示す分解側面図である。
【図２】従来の直管形ＬＥＤランプの構造が発光する状態を示す側面図である。
【図３Ａ】本考案の第１実施形態に係る直管形ＬＥＤランプの構造を示す斜視図である。
【図３Ｂ】本考案の第１実施形態に係る直管形ＬＥＤランプの構造を示す分解斜視図である。
【図４】本考案の一実施形態に係る直管形ＬＥＤランプの構造の駆動回路を示す斜視図である。
【図５】本考案の第１実施形態に係る直管形ＬＥＤランプの構造を示す斜視図である。
【図６】本考案の第１実施形態に係る直管形ＬＥＤランプの構造が発光する状態を示す側面図である。
【図７】本考案の第２実施形態に係る直管形ＬＥＤランプの構造が発光する状態を示す側面図である。
【考案を実施するための形態】
【００１６】
当該分野の技術を熟知するものが理解できるように、本考案の好適な実施形態を以下に開示するが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【実施例１】
【００１７】
図３Ａ及び図３Ｂを参照する。図３Ａ及び図３Ｂに示すように、本考案の第１実施形態に係る直管形ＬＥＤランプの構造２は、少なくとも管体２１、少なくとも１つのＬＥＤ列２２及び少なくとも１つの駆動回路２３から構成される。ＬＥＤ列２２及び駆動回路２３は、管体２１内部に配置される。駆動回路２３は、複数の電子素子２３１（抵抗、コンデンサ、変圧器などの電子素子）及び駆動回路基板２３２を有する。図４に示すように、電子素子２３１は、駆動回路基板２３２の一方の面上に挿設される。また、駆動回路基板２３２の他方の面上には、少なくとも１つのＬＥＤ２３３が挿設される。
【００１８】
図３Ａ及び図５を参照する。図３Ａと図５から分かるように、駆動回路基板２３２の他方の面上に挿設されるＬＥＤ２３３の方向は、ＬＥＤ列２２のＬＥＤ２２１の方向と同一である。このため、駆動回路２３を管体２１内部の任意の端部に配置し、ＬＥＤ列２２と接続した際、駆動回路２３は、駆動回路基板２３２の他方の面上に挿設されるＬＥＤ２３３及びＬＥＤ列２２のＬＥＤ２２１を発光させることができる。即ち、図６に示すように、駆動回路２３がＬＥＤ列２２を駆動して発光させる際、駆動回路基板２３２の他方の面上に挿設されるＬＥＤ２３３も同時に発光させることができるため、管体２１全体を完全に発光させることができる。
【００１９】
以上の説明から分かるように、本考案の第１実施形態に係る直管形ＬＥＤランプの構造２により、管体２１全体を発光させることができるため、管体２１全体の照射範囲を増大させることができる。
【実施例２】
【００２０】
また、上述の管体２１内部の左右両端にＬＥＤ２３３を有する駆動回路２３をそれぞれ配置する態様以外に、管体２１内の任意の端部にＬＥＤ２３３を有する駆動回路２３を１つだけ配置する態様にしてもよい。これにより、管体２１内の多くの空間にＬＥＤ列２２を配置させることができ、管体２１全体の照射範囲をさらに拡大させることができる。
【００２１】
本考案の直管形ＬＥＤランプの構造は、他の従来技術と比較して以下（１）及び（２）の長所を有する。
（１）管体の照射範囲を増大させることができるため、ユーザが管体の任意の側辺に位置する場合でも、ユーザを照射する光線輝度が低くない。
（２）ＬＥＤを管体の一方の端部から他方の端部まで配置することができる上、ＬＥＤ列の収容空間が圧縮されない。そのため、ＬＥＤ列上のＬＥＤは、出力が大きく、発光輝度の高いＬＥＤを使用することができる。これにより、ＬＥＤ列上のＬＥＤ間の間隙が大きくなった場合でも、ＬＥＤの数が認識されにくい。このため、ＬＥＤを使用する数を減らすことにより、製造コストを低減させることができる。
【符号の説明】
【００２２】
１  直管形ＬＥＤランプ
２  直管形ＬＥＤランプの構造
１１  管体
１２  ＬＥＤ列
１３  駆動回路
２１  管体
２２  ＬＥＤ列
２３  駆動回路
１２１  ＬＥＤ
２２１  ＬＥＤ
２３１  電子素子
２３２  駆動回路基板
２３３  ＬＥＤ
【図１Ａ】
0003177567.tif 000003
【図１Ｂ】
0003177567.tif 000004
【図２】
0003177567.tif 000005
【図３Ａ】
0003177567.tif 000006
【図３Ｂ】
0003177567.tif 000007
【図４】
0003177567.tif 000008
【図５】
0003177567.tif 000009
【図６】
0003177567.tif 000010
【図７】
0003177567.tif 000011